(57)【要約】【課題】本発明は持ち運びに便利な電動キャリーケースを開示した。【解決手段】スタンドを含み、前記スタンドの中には揺動チャンバが設けられ、前記揺動チャンバの中には電動装置が設けられ、前記電動装置は前記揺動チャンバの中に設けられた揺動ブロックを含み、本発明は構造が簡単で、操作が便利であり、モーターにより大キャスターを回転連動させ、同時に小キャスターの補助により坂道を登り、また人力で大キャスターと小キャスターとの高度差をコントロールして階段を登りまたは降りることができ、手間が省け、便利であり、さらに、平地では、人が踏み板に立つことでキャリーケースの自動移動と共に移動することもでき、また人力で回転盤を回転させて小幅にキャリーケースの移動方向を変えることもできる。【選択図】図１
2020179140.tif 000002
【特許請求の範囲】
【請求項１】
正面視で、スタンドを含み、前記スタンドの中には揺動チャンバが設けられ、前記揺動チャンバの中には電動装置が設けられ、前記電動装置は前記揺動チャンバの中に設けられた揺動ブロックを含み、前記揺動ブロックが小幅に揺動でき、前記揺動ブロックの中には下方に開口した大キャスターチャンバが設けられ、前記大キャスターチャンバの中には動力軸が回転できるように設けられ、前記大キャスターチャンバの後側内壁の中にはモーターが固定的に設けられ、前記動力軸が前記モーターに伝動できるように連結され、前記動力軸には前後に対称する支持板が回転できるように連結され、両側の前記支持板の中には向かい合って開口した伝動ベルトチャンバが設けられ、前記伝動ベルトチャンバの中には右プーリーが回転できるように設けられ、前記右プーリーが前記動力軸に固定的に連結され、前記右プーリーの左側には左プーリーが回転できるように設けられ、前記右プーリーと前記左プーリーとの間には伝動ベルトが連結され、両側の前記左プーリーの間には連結軸が連結され、前記連結軸には前後に対称する大キャスターが固定的に連結され、二つの前記大キャスターが両側の前記支持板の間に位置しており、前記大キャスターチャンバの下側内壁の中には下方に開口した位置制限溝が連通するように設けられ、前記モーターが前記動力軸を駆動することにより前記右プーリーを回転連動させ、更に前記伝動ベルトと、前記左プーリーと、前記連結軸とにより大キャスターを回転連動させ、前記スタンドの上端には引きロッド装置が連結され、前記引きロッド装置は前記スタンドの上端に固定的に連結された引きロッドを含み、前記引きロッドの中には下方に開口した収納チャンバが左右に貫通するように設けられ、前記収納チャンバの中には長軸が回転できるように設けられ、前記長軸には回転盤が固定的に連結され、前記スタンドの中には歯車チャンバが設けられ、前記歯車チャンバの右側内壁が前記揺動チャンバに連通しており、前記歯車チャンバの中には大歯車が回転できるように設けられ、前記大歯車の右端が前記揺動ブロックに固定的に連結され、前記大歯車は前記揺動ブロックを揺動連動させることができ、前記大歯車の中には上方に開口した噛合溝が設けられ、前記噛合溝の中には小歯車が回転できるように設けられ、前記小歯車が前記大歯車に噛合しており、前記小歯車が回転することにより前記大歯車を回転連動させ、前記小歯車と前記大歯車との間の速度伝達比が一より大きいのであり、前記長軸の下端が前記小歯車に固定的に連結され、前記回転盤を回転させることにより前記小歯車を回転連動させることができ、前記収納チャンバの前後内壁の間には踏み板装置が連結され、前記踏み板装置はそれぞれ前記収納チャンバの前後内壁に回転できるように連結されたアーム軸を含み、前記アーム軸には踏み板が固定的に連結され、前記踏み板の上端面の中にはスライド防止クッションが固定的に設けられていることを特徴とする持ち運びに便利な電動キャリーケース。
【請求項２】
前記大キャスターの上側内壁の中には引っ掛かりロッドチャンバが連通するように設けられ、前記引っ掛かりロッドチャンバの中には引っ掛かりロッドがスライドできるように設けられ、前記引っ掛かりロッドの上端と前記引っ掛かりロッドチャンバの上側内壁との間には圧縮バネが固定的に連結され、前側の前記支持板の中には前記右プーリーに背を向けて開口した引っ掛かり溝が二つ設けられ、前記引っ掛かりロッドは前記引っ掛かり溝の中に伸びて前側の前記支持板を固定することができ、前記引っ掛かりロッドチャンバの前側内壁の中には前方に開口した連通孔が連通するように設けられ、前記連通孔の中には連結ロッドがスライドできるように設けられ、前記連結ロッドの後端が前記引っ掛かりロッドに固定的に連結され、前記連結ロッドの前端が外部に伸びており、且つ前記連結ロッドの前端にはスライドブロックが固定的に連結されていることを特徴とする請求項１に記載の持ち運びに便利な電動キャリーケース。
【請求項３】
前記スタンドの上端にはケースが固定的に連結され、荷物を前記ケースの中に置くことができ、前記ケースの左端には連結板が固定的に連結され、前記連結板の左端が前記引きロッドに固定的に連結され、前記収納チャンバの上側内壁の中には抜き穴が左右に貫通するように設けられていることを特徴とする請求項２に記載の持ち運びに便利な電動キャリーケース。
【請求項４】
前記両側の前記踏み板のうち対称中心から離れている一端と前記収納チャンバの前後内壁との間にはそれぞれ復帰トーションバネが固定的に連結され、前記復帰トーションバネの弾力により前記踏み板を前記収納チャンバの中に収納することができ、前記踏み板の下端には固定板が固定的に連結され、両側の前記固定板の間には小キャスター軸が回転できるように連結され、前記小キャスター軸には前後に対称する小キャスターが固定的に連結され、二つの前記小キャスターが両側の前記固定板の間に位置していることを特徴とする請求項３に記載の持ち運びに便利な電動キャリーケース。
【請求項５】
前記大キャスターチャンバの左右両側内壁の中には下方に開口した固定キャスターチャンバが対称的に設けられ、前記固定キャスターチャンバの前後内壁の間には固定軸が回転できるように連結され、前記固定軸には前後に対称する固定キャスターが固定的に連結されていることを特徴とする請求項４に記載の持ち運びに便利な電動キャリーケース。
【発明の詳細な説明】
【技術分野】
【０００１】
本発明はキャリーケース分野を取り上げて、具体的には持ち運びに便利な電動キャリーケースである。
【背景技術】
【０００２】
長旅や出張する時、人々は常に荷物をキャリーケースの中に入れるが、階段や坂道を登る時にきつくなり、時に荷物が多すぎると、平地でもキャリーケースを引くことにきつく感じ、従って、自動的に坂道や階段を登ることができる持ち運びに便利な電動キャリーケースを設計する必要があり、本装置はモーターにより大キャスターを回転連動させ、同時に小キャスターの補助により坂道を登り、また人力で大キャスターと小キャスターとの間の高度差をコントロールすることで階段を登ることができ、手間が省け、便利であり、さらに、平地では、人が踏み板に立つことでキャリーケースの自動移動と共に移動することもでき、人力で回転盤を回転させて小幅にキャリーケースの移動方向を変えることもできる。
【先行技術文献】
【特許文献】
【０００３】
【特許文献１】中国特許出願公開第１０７５９４８１４号明細書
【発明の概要】
【発明が解決しようとする課題】
【０００４】
本発明の目的は持ち運びに便利な電動キャリーケースを提供し、それは上記の現在の技術中の問題を解決できる。
【課題を解決するための手段】
【０００５】
上記の課題を解決するため、本発明は以下の技術プランを採用する：本発明の持ち運びに便利な電動キャリーケースは、スタンドを含み、前記スタンドの中には揺動チャンバが設けられ、前記揺動チャンバの中には電動装置が設けられ、前記電動装置は前記揺動チャンバの中に設けられた揺動ブロックを含み、前記揺動ブロックが小幅に揺動でき、前記揺動ブロックの中には下方に開口した大キャスターチャンバが設けられ、前記大キャスターチャンバの中には動力軸が回転できるように設けられ、前記大キャスターチャンバの後側内壁の中にはモーターが固定的に設けられ、前記動力軸が前記モーターに伝動できるように連結され、前記動力軸には前後に対称する支持板が回転できるように連結され、両側の前記支持板の中には向かい合って開口した伝動ベルトチャンバが設けられ、前記伝動ベルトチャンバの中には右プーリーが回転できるように設けられ、前記右プーリーが前記動力軸に固定的に連結され、前記右プーリーの左側には左プーリーが回転できるように設けられ、前記右プーリーと前記左プーリーとの間には伝動ベルトが連結され、両側の前記左プーリーの間には連結軸が連結され、前記連結軸には前後に対称する大キャスターが固定的に連結され、二つの前記大キャスターが両側の前記支持板の間に位置しており、前記大キャスターチャンバの下側内壁の中には下方に開口した位置制限溝が連通するように設けられ、前記モーターが前記動力軸を駆動することにより前記右プーリーを回転連動させ、更に前記伝動ベルトと、前記左プーリーと、前記連結軸とにより大キャスターを回転連動させ、前記スタンドの上端には引きロッド装置が連結され、前記引きロッド装置は前記スタンドの上端に固定的に連結された引きロッドを含み、前記引きロッドの中には下方に開口した収納チャンバが左右に貫通するように設けられ、前記収納チャンバの中には長軸が回転できるように設けられ、前記長軸には回転盤が固定的に連結され、前記スタンドの中には歯車チャンバが設けられ、前記歯車チャンバの右側内壁が前記揺動チャンバに連通しており、前記歯車チャンバの中には大歯車が回転できるように設けられ、前記大歯車の右端が前記揺動ブロックに固定的に連結され、前記大歯車は前記揺動ブロックを揺動連動させることができ、前記大歯車の中には上方に開口した噛合溝が設けられ、前記噛合溝の中には小歯車が回転できるように設けられ、前記小歯車が前記大歯車に噛合しており、前記小歯車が回転することにより前記大歯車を回転連動させ、前記小歯車と前記大歯車との間の速度伝達比が一より大きいのであり、前記長軸の下端が前記小歯車に固定的に連結され、前記回転盤を回転させることにより前記小歯車を回転連動させることができ、前記収納チャンバの前後内壁の間には踏み板装置が連結され、前記踏み板装置はそれぞれ前記収納チャンバの前後内壁に回転できるように連結されたアーム軸を含み、前記アーム軸には踏み板が固定的に連結され、前記踏み板の上端面の中にはスライド防止クッションが固定的に設けられ、人力で前記踏み板を広げることができ、人が前記踏み板に立つことができる。
【０００６】
更の技術プラン、前記大キャスターの上側内壁の中には引っ掛かりロッドチャンバが連通するように設けられ、前記引っ掛かりロッドチャンバの中には引っ掛かりロッドがスライドできるように設けられ、前記引っ掛かりロッドの上端と前記引っ掛かりロッドチャンバの上側内壁との間には圧縮バネが固定的に連結され、前側の前記支持板の中には前記右プーリーに背を向けて開口した引っ掛かり溝が二つ設けられ、前記引っ掛かりロッドは前記引っ掛かり溝の中に伸びて前側の前記支持板を固定することができ、前記引っ掛かりロッドチャンバの前側内壁の中には前方に開口した連通孔が連通するように設けられ、前記連通孔の中には連結ロッドがスライドできるように設けられ、前記連結ロッドの後端が前記引っ掛かりロッドに固定的に連結され、前記連結ロッドの前端が外部に伸びており、且つ前記連結ロッドの前端にはスライドブロックが固定的に連結され、前記スライドブロックをスライドさせることで前記引っ掛かりロッドが前記引っ掛かり溝から離脱することができる。
【０００７】
更の技術プラン、前記スタンドの上端にはケースが固定的に連結され、荷物を前記ケースの中に置くことができ、前記ケースの左端には連結板が固定的に連結され、前記連結板の左端が前記引きロッドに固定的に連結され、前記収納チャンバの上側内壁の中には抜き穴が左右に貫通するように設けられ、手が前記抜き穴を通り抜けて前記引きロッドを引くことができる。
【０００８】
更の技術プラン、前記両側の前記踏み板のうち対称中心から離れている一端と前記収納チャンバの前後内壁との間にはそれぞれ復帰トーションバネが固定的に連結され、前記復帰トーションバネの弾力により前記踏み板を前記収納チャンバの中に収納することができ、前記踏み板の下端には固定板が固定的に連結され、両側の前記固定板の間には小キャスター軸が回転できるように連結され、前記小キャスター軸には前後に対称する小キャスターが固定的に連結され、二つの前記小キャスターが両側の前記固定板の間に位置しており、前記小キャスターにより前記大キャスターの転がりを補助することができる。
【０００９】
更の技術プラン、前記大キャスターチャンバの左右両側内壁の中には下方に開口した固定キャスターチャンバが対称的に設けられ、前記固定キャスターチャンバの前後内壁の間には固定軸が回転できるように連結され、前記固定軸には前後に対称する固定キャスターが固定的に連結されている。
【発明の効果】
【００１０】
本発明は構造が簡単で、操作が便利であり、モーターにより大キャスターを回転連動させ、同時に小キャスターの補助により坂道を登り、また人力で大キャスターと小キャスターとの高度差をコントロールして階段を登りまたは降りることができ、手間が省け、便利であり、さらに、平地では、人が踏み板に立つことでキャリーケースの自動移動と共に移動することもでき、また人力で回転盤を回転させて小幅にキャリーケースの移動方向を変えることもできる。
【図面の簡単な説明】
【００１１】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の持ち運びに便利な電動キャリーケースの内部構成略図
【図２】図２は図１のＡの拡大略図
【図３】図３は図１のＢの拡大略図
【図４】図４は図２のＣ―Ｃの構成略図
【図５】図５は図２のＤ―Ｄの構成略図
【図６】図６は図２のＥ―Ｅの構成略図
【図７】図７は図２のＦ―Ｆの構成略図
【図８】図８は図３のＧ―Ｇの構成略図
【発明を実施するための形態】
【００１３】
図１〜８を参照し、本発明の持ち運びに便利な電動キャリーケースは、スタンド１１を含み、前記スタンド１１の中には揺動チャンバ４２が設けられ、前記揺動チャンバ４２の中には電動装置１００が設けられ、前記電動装置１００は前記揺動チャンバ４２の中に設けられた揺動ブロック４３を含み、前記揺動ブロック４３が小幅に揺動でき、前記揺動ブロック４３の中には下方に開口した大キャスターチャンバ３２が設けられ、前記大キャスターチャンバ３２の中には動力軸３８が回転できるように設けられ、前記大キャスターチャンバ３２の後側内壁の中にはモーター４７が固定的に設けられ、前記動力軸３８が前記モーター４７に伝動できるように連結され、前記動力軸３８には前後に対称する支持板３３が回転できるように連結され、両側の前記支持板３３の中には向かい合って開口した伝動ベルトチャンバ３５が設けられ、前記伝動ベルトチャンバ３５の中には右プーリー３７が回転できるように設けられ、前記右プーリー３７が前記動力軸３８に固定的に連結され、前記右プーリー３７の左側には左プーリー３０が回転できるように設けられ、前記右プーリー３７と前記左プーリー３０との間には伝動ベルト３４が連結され、両側の前記左プーリー３０の間には連結軸２９が連結され、前記連結軸２９には前後に対称する大キャスター２８が固定的に連結され、二つの前記大キャスター２８が両側の前記支持板３３の間に位置しており、前記大キャスターチャンバ３２の下側内壁の中には下方に開口した位置制限溝３１が連通するように設けられ、前記モーター４７が前記動力軸３８を駆動することにより前記右プーリー３７を回転連動させ、更に前記伝動ベルト３４と、前記左プーリー３０と、前記連結軸２９とにより大キャスター２８を回転連動させ、前記スタンド１１の上端には引きロッド装置１０２が連結され、前記引きロッド装置１０２は前記スタンド１１の上端に固定的に連結された引きロッド１７を含み、前記引きロッド１７の中には下方に開口した収納チャンバ１５が左右に貫通するように設けられ、前記収納チャンバ１５の中には長軸１４が回転できるように設けられ、前記長軸１４には回転盤１６が固定的に連結され、前記スタンド１１の中には歯車チャンバ２０が設けられ、前記歯車チャンバ２０の右側内壁が前記揺動チャンバ４２に連通しており、前記歯車チャンバ２０の中には大歯車２４が回転できるように設けられ、前記大歯車２４の右端が前記揺動ブロック４３に固定的に連結され、前記大歯車２４は前記揺動ブロック４３を揺動連動させることができ、前記大歯車２４の中には上方に開口した噛合溝１９が設けられ、前記噛合溝１９の中には小歯車２３が回転できるように設けられ、前記小歯車２３が前記大歯車２４に噛合しており、前記小歯車２３が回転することにより前記大歯車２４を回転連動させ、前記小歯車２３と前記大歯車２４との間の速度伝達比が一より大きいのであり、前記長軸１４の下端が前記小歯車２３に固定的に連結され、前記回転盤１６を回転させることにより前記小歯車２３を回転連動させることができ、前記収納チャンバ１５の前後内壁の間には踏み板装置１０１が連結され、前記踏み板装置１０１はそれぞれ前記収納チャンバ１５の前後内壁に回転できるように連結されたアーム軸５２を含み、前記アーム軸５２には踏み板２１が固定的に連結され、前記踏み板２１の上端面の中にはスライド防止クッション２２が固定的に設けられ、人力で前記踏み板２１を広げることができ、人が前記踏み板２１に立つことができる。
【００１４】
有益に、前記大キャスター３２の上側内壁の中には引っ掛かりロッドチャンバ４１が連通するように設けられ、前記引っ掛かりロッドチャンバ４１の中には引っ掛かりロッド３９がスライドできるように設けられ、前記引っ掛かりロッド３９の上端と前記引っ掛かりロッドチャンバ４１の上側内壁との間には圧縮バネ４０が固定的に連結され、前側の前記支持板３３の中には前記右プーリー３７に背を向けて開口した引っ掛かり溝３６が二つ設けられ、前記引っ掛かりロッド３９は前記引っ掛かり溝３６の中に伸びて前側の前記支持板３３を固定することができ、前記引っ掛かりロッドチャンバ４１の前側内壁の中には前方に開口した連通孔４８が連通するように設けられ、前記連通孔４８の中には連結ロッド４９がスライドできるように設けられ、前記連結ロッド４９の後端が前記引っ掛かりロッド３９に固定的に連結され、前記連結ロッド４９の前端が外部に伸びており、且つ前記連結ロッド４９の前端にはスライドブロック５０が固定的に連結され、前記スライドブロック５０をスライドさせることで前記引っ掛かりロッド３９が前記引っ掛かり溝３６から離脱することができる。
【００１５】
有益に、前記スタンド１１の上端にはケース１２が固定的に連結され、荷物を前記ケース１２の中に置くことができ、前記ケース１２の左端には連結板１３が固定的に連結され、前記連結板１３の左端が前記引きロッド１７に固定的に連結され、前記収納チャンバ１５の上側内壁の中には抜き穴１８が左右に貫通するように設けられ、手が前記抜き穴１８を通り抜けて前記引きロッド１７を引くことができる。
【００１６】
有益に、前記両側の前記踏み板２１のうち対称中心から離れている一端と前記収納チャンバ１５の前後内壁との間にはそれぞれ復帰トーションバネ５１が固定的に連結され、前記復帰トーションバネ５１の弾力により前記踏み板２１を前記収納チャンバ１５の中に収納することができ、前記踏み板２１の下端には固定板４６が固定的に連結され、両側の前記固定板４６の間には小キャスター軸４５が回転できるように連結され、前記小キャスター軸４５には前後に対称する小キャスター４４が固定的に連結され、二つの前記小キャスター４４が両側の前記固定板４６の間に位置しており、前記小キャスター４４により前記大キャスター２８の転がりを補助することができる。
【００１７】
有益に、前記大キャスターチャンバ３２の左右両側内壁の中には下方に開口した固定キャスターチャンバ２５が対称的に設けられ、前記固定キャスターチャンバ２５の前後内壁の間には固定軸２６が回転できるように連結され、前記固定軸２６には前後に対称する固定キャスター２７が固定的に連結されている。
【００１８】
使用する時、荷物をケース１２の中に入れ、短時間にキャリーケースを使用する時、踏み板装置１０１と電動装置１００とを広げる必要がなく、固定キャスター２７が転がるだけで良いのであり、坂道を登る時、スライドブロック５０をスライドさせ、連結ロッド４９により引っ掛かりロッド３９をスライド連動させ、連結ロッド４９が上側の引っ掛かり溝３６から離脱し、この時支持板３３を回転させ、引っ掛かりロッド３９が下側の引っ掛かり溝３６の中に入るまで大キャスター２８を外部に回転させ、同時に踏み板２１を回転させ、小キャスター４４を地面と当接させ、人が踏み板２１に立つことができ、踏み板２１が一定の傾斜角度を持っているため、スライド防止クッション２２がスライドを防止でき、この時固定キャスター２７が宙に浮いており、この時モーター４７を始動し、動力軸３８を駆動することで右プーリー３７を回転連動させ、さらに伝動ベルト３４と、左プーリー３０と、連結軸２９とにより大キャスター２８を回転連動させ、小キャスター４４の補助的な転がりにより、大キャスター２８がキャリーケースを連動させて人と共に坂道を登り、人力で回転盤１６を回転させることができ、これにより長軸１４で小歯車２３を回転連動させ、これにより大歯車２４を回転連動させ、これにより揺動ブロック４３を揺動連動させて小幅の方向変更をし、階段を登る時に人が踏み板２１を踏む必要があり、小キャスター４４を下側の階段と接触させ、大キャスター２８を上側の階段に置き、モーター４７を始動し、大キャスター２８が階段に沿って上へ転がり、小キャスター４４がキャリーケースの揺れる程度を減らすことができる。
【００１９】
有益効果は：本発明は構造が簡単で、操作が便利であり、モーターにより大キャスターを回転連動させ、同時に小キャスターの補助により坂道を登り、また人力で大キャスターと小キャスターとの高度差をコントロールして階段を登りまたは降りることができ、手間が省け、便利であり、さらに、平地では、人が踏み板に立つことでキャリーケースの自動移動と共に移動することもでき、また人力で回転盤を回転させて小幅にキャリーケースの移動方向を変えることもできる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179140.tif 000003
【図２】
2020179140.tif 000004
【図３】
2020179140.tif 000005
【図４】
2020179140.tif 000006
【図５】
2020179140.tif 000007
【図６】
2020179140.tif 000008
【図７】
2020179140.tif 000009
【図８】
2020179140.tif 000010
【手続補正書】
【提出日】令和2年2月25日(2020.2.25)
【手続補正１】
【補正対象書類名】特許請求の範囲
【補正対象項目名】請求項２
【補正方法】変更
【補正の内容】
【請求項２】
前記揺動ブロックの上側内壁の中には引っ掛かりロッドチャンバが連通するように設けられ、前記引っ掛かりロッドチャンバの中には引っ掛かりロッドがスライドできるように設けられ、前記引っ掛かりロッドの上端と前記引っ掛かりロッドチャンバの上側内壁との間には圧縮バネが固定的に連結され、前側の前記支持板の中には前記右プーリーに背を向けて開口した引っ掛かり溝が二つ設けられ、前記引っ掛かりロッドは前記引っ掛かり溝の中に伸びて前側の前記支持板を固定することができ、前記引っ掛かりロッドチャンバの前側内壁の中には前方に開口した連通孔が連通するように設けられ、前記連通孔の中には連結ロッドがスライドできるように設けられ、前記連結ロッドの後端が前記引っ掛かりロッドに固定的に連結され、前記連結ロッドの前端が外部に伸びており、且つ前記連結ロッドの前端にはスライドブロックが固定的に連結されていることを特徴とする請求項１に記載の持ち運びに便利な電動キャリーケース。
【手続補正２】
【補正対象書類名】明細書
【補正対象項目名】全文
【補正方法】変更
【補正の内容】
【発明の詳細な説明】
【技術分野】
【０００１】
本発明はキャリーケース分野を取り上げて、具体的には持ち運びに便利な電動キャリーケースである。
【背景技術】
【０００２】
長旅や出張する時、人々は常に荷物をキャリーケースの中に入れるが、階段や坂道を登る時にきつくなり、時に荷物が多すぎると、平地でもキャリーケースを引くことにきつく感じ、従って、自動的に坂道や階段を登ることができる持ち運びに便利な電動キャリーケースを設計する必要があり、本装置はモーターにより大キャスターを回転連動させ、同時に小キャスターの補助により坂道を登り、また人力で大キャスターと小キャスターとの間の高度差をコントロールすることで階段を登ることができ、手間が省け、便利であり、さらに、平地では、人が踏み板に立つことでキャリーケースの自動移動と共に移動することもでき、人力で回転盤を回転させて小幅にキャリーケースの移動方向を変えることもできる。
【先行技術文献】
【特許文献】
【０００３】
【特許文献１】中国特許出願公開第１０７５９４８１４号明細書
【発明の概要】
【発明が解決しようとする課題】
【０００４】
本発明の目的は持ち運びに便利な電動キャリーケースを提供し、それは上記の現在の技術中の問題を解決できる。
【課題を解決するための手段】
【０００５】
上記の課題を解決するため、本発明は以下の技術プランを採用する：本発明の持ち運びに便利な電動キャリーケースは、スタンドを含み、前記スタンドの中には揺動チャンバが設けられ、前記揺動チャンバの中には電動装置が設けられ、前記電動装置は前記揺動チャンバの中に設けられた揺動ブロックを含み、前記揺動ブロックが小幅に揺動でき、前記揺動ブロックの中には下方に開口した大キャスターチャンバが設けられ、前記大キャスターチャンバの中には動力軸が回転できるように設けられ、前記大キャスターチャンバの後側内壁の中にはモーターが固定的に設けられ、前記動力軸が前記モーターに伝動できるように連結され、前記動力軸には前後に対称する支持板が回転できるように連結され、両側の前記支持板の中には向かい合って開口した伝動ベルトチャンバが設けられ、前記伝動ベルトチャンバの中には右プーリーが回転できるように設けられ、前記右プーリーが前記動力軸に固定的に連結され、前記右プーリーの左側には左プーリーが回転できるように設けられ、前記右プーリーと前記左プーリーとの間には伝動ベルトが連結され、両側の前記左プーリーの間には連結軸が連結され、前記連結軸には前後に対称する大キャスターが固定的に連結され、二つの前記大キャスターが両側の前記支持板の間に位置しており、前記大キャスターチャンバの下側内壁の中には下方に開口した位置制限溝が連通するように設けられ、前記モーターが前記動力軸を駆動することにより前記右プーリーを回転連動させ、更に前記伝動ベルトと、前記左プーリーと、前記連結軸とにより大キャスターを回転連動させ、前記スタンドの上端には引きロッド装置が連結され、前記引きロッド装置は前記スタンドの上端に固定的に連結された引きロッドを含み、前記引きロッドの中には下方に開口した収納チャンバが左右に貫通するように設けられ、前記収納チャンバの中には長軸が回転できるように設けられ、前記長軸には回転盤が固定的に連結され、前記スタンドの中には歯車チャンバが設けられ、前記歯車チャンバの右側内壁が前記揺動チャンバに連通しており、前記歯車チャンバの中には大歯車が回転できるように設けられ、前記大歯車の右端が前記揺動ブロックに固定的に連結され、前記大歯車は前記揺動ブロックを揺動連動させることができ、前記大歯車の中には上方に開口した噛合溝が設けられ、前記噛合溝の中には小歯車が回転できるように設けられ、前記小歯車が前記大歯車に噛合しており、前記小歯車が回転することにより前記大歯車を回転連動させ、前記小歯車と前記大歯車との間の速度伝達比が一より大きいのであり、前記長軸の下端が前記小歯車に固定的に連結され、前記回転盤を回転させることにより前記小歯車を回転連動させることができ、前記収納チャンバの前後内壁の間には踏み板装置が連結され、前記踏み板装置はそれぞれ前記収納チャンバの前後内壁に回転できるように連結されたアーム軸を含み、前記アーム軸には踏み板が固定的に連結され、前記踏み板の上端面の中にはスライド防止クッションが固定的に設けられ、人力で前記踏み板を広げることができ、人が前記踏み板に立つことができる。
【０００６】
更の技術プラン、前記揺動ブロックの上側内壁の中には引っ掛かりロッドチャンバが連通するように設けられ、前記引っ掛かりロッドチャンバの中には引っ掛かりロッドがスライドできるように設けられ、前記引っ掛かりロッドの上端と前記引っ掛かりロッドチャンバの上側内壁との間には圧縮バネが固定的に連結され、前側の前記支持板の中には前記右プーリーに背を向けて開口した引っ掛かり溝が二つ設けられ、前記引っ掛かりロッドは前記引っ掛かり溝の中に伸びて前側の前記支持板を固定することができ、前記引っ掛かりロッドチャンバの前側内壁の中には前方に開口した連通孔が連通するように設けられ、前記連通孔の中には連結ロッドがスライドできるように設けられ、前記連結ロッドの後端が前記引っ掛かりロッドに固定的に連結され、前記連結ロッドの前端が外部に伸びており、且つ前記連結ロッドの前端にはスライドブロックが固定的に連結され、前記スライドブロックをスライドさせることで前記引っ掛かりロッドが前記引っ掛かり溝から離脱することができる。
【０００７】
更の技術プラン、前記スタンドの上端にはケースが固定的に連結され、荷物を前記ケースの中に置くことができ、前記ケースの左端には連結板が固定的に連結され、前記連結板の左端が前記引きロッドに固定的に連結され、前記収納チャンバの上側内壁の中には抜き穴が左右に貫通するように設けられ、手が前記抜き穴を通り抜けて前記引きロッドを引くことができる。
【０００８】
更の技術プラン、前記両側の前記踏み板のうち対称中心から離れている一端と前記収納チャンバの前後内壁との間にはそれぞれ復帰トーションバネが固定的に連結され、前記復帰トーションバネの弾力により前記踏み板を前記収納チャンバの中に収納することができ、前記踏み板の下端には固定板が固定的に連結され、両側の前記固定板の間には小キャスター軸が回転できるように連結され、前記小キャスター軸には前後に対称する小キャスターが固定的に連結され、二つの前記小キャスターが両側の前記固定板の間に位置しており、前記小キャスターにより前記大キャスターの転がりを補助することができる。
【０００９】
更の技術プラン、前記大キャスターチャンバの左右両側内壁の中には下方に開口した固定キャスターチャンバが対称的に設けられ、前記固定キャスターチャンバの前後内壁の間には固定軸が回転できるように連結され、前記固定軸には前後に対称する固定キャスターが固定的に連結されている。
【発明の効果】
【００１０】
本発明は構造が簡単で、操作が便利であり、モーターにより大キャスターを回転連動させ、同時に小キャスターの補助により坂道を登り、また人力で大キャスターと小キャスターとの高度差をコントロールして階段を登りまたは降りることができ、手間が省け、便利であり、さらに、平地では、人が踏み板に立つことでキャリーケースの自動移動と共に移動することもでき、また人力で回転盤を回転させて小幅にキャリーケースの移動方向を変えることもできる。
【図面の簡単な説明】
【００１１】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の持ち運びに便利な電動キャリーケースの内部構成略図
【図２】図２は図１のＡの拡大略図
【図３】図３は図１のＢの拡大略図
【図４】図４は図２のＣ―Ｃの構成略図
【図５】図５は図２のＤ―Ｄの構成略図
【図６】図６は図２のＥ―Ｅの構成略図
【図７】図７は図２のＦ―Ｆの構成略図
【図８】図８は図３のＧ―Ｇの構成略図
【発明を実施するための形態】
【００１３】
図１〜８を参照し、本発明の持ち運びに便利な電動キャリーケースは、スタンド１１を含み、前記スタンド１１の中には揺動チャンバ４２が設けられ、前記揺動チャンバ４２の中には電動装置１００が設けられ、前記電動装置１００は前記揺動チャンバ４２の中に設けられた揺動ブロック４３を含み、前記揺動ブロック４３が小幅に揺動でき、前記揺動ブロック４３の中には下方に開口した大キャスターチャンバ３２が設けられ、前記大キャスターチャンバ３２の中には動力軸３８が回転できるように設けられ、前記大キャスターチャンバ３２の後側内壁の中にはモーター４７が固定的に設けられ、前記動力軸３８が前記モーター４７に伝動できるように連結され、前記動力軸３８には前後に対称する支持板３３が回転できるように連結され、両側の前記支持板３３の中には向かい合って開口した伝動ベルトチャンバ３５が設けられ、前記伝動ベルトチャンバ３５の中には右プーリー３７が回転できるように設けられ、前記右プーリー３７が前記動力軸３８に固定的に連結され、前記右プーリー３７の左側には左プーリー３０が回転できるように設けられ、前記右プーリー３７と前記左プーリー３０との間には伝動ベルト３４が連結され、両側の前記左プーリー３０の間には連結軸２９が連結され、前記連結軸２９には前後に対称する大キャスター２８が固定的に連結され、二つの前記大キャスター２８が両側の前記支持板３３の間に位置しており、前記大キャスターチャンバ３２の下側内壁の中には下方に開口した位置制限溝３１が連通するように設けられ、前記モーター４７が前記動力軸３８を駆動することにより前記右プーリー３７を回転連動させ、更に前記伝動ベルト３４と、前記左プーリー３０と、前記連結軸２９とにより大キャスター２８を回転連動させ、前記スタンド１１の上端には引きロッド装置１０２が連結され、前記引きロッド装置１０２は前記スタンド１１の上端に固定的に連結された引きロッド１７を含み、前記引きロッド１７の中には下方に開口した収納チャンバ１５が左右に貫通するように設けられ、前記収納チャンバ１５の中には長軸１４が回転できるように設けられ、前記長軸１４には回転盤１６が固定的に連結され、前記スタンド１１の中には歯車チャンバ２０が設けられ、前記歯車チャンバ２０の右側内壁が前記揺動チャンバ４２に連通しており、前記歯車チャンバ２０の中には大歯車２４が回転できるように設けられ、前記大歯車２４の右端が前記揺動ブロック４３に固定的に連結され、前記大歯車２４は前記揺動ブロック４３を揺動連動させることができ、前記大歯車２４の中には上方に開口した噛合溝１９が設けられ、前記噛合溝１９の中には小歯車２３が回転できるように設けられ、前記小歯車２３が前記大歯車２４に噛合しており、前記小歯車２３が回転することにより前記大歯車２４を回転連動させ、前記小歯車２３と前記大歯車２４との間の速度伝達比が一より大きいのであり、前記長軸１４の下端が前記小歯車２３に固定的に連結され、前記回転盤１６を回転させることにより前記小歯車２３を回転連動させることができ、前記収納チャンバ１５の前後内壁の間には踏み板装置１０１が連結され、前記踏み板装置１０１はそれぞれ前記収納チャンバ１５の前後内壁に回転できるように連結されたアーム軸５２を含み、前記アーム軸５２には踏み板２１が固定的に連結され、前記踏み板２１の上端面の中にはスライド防止クッション２２が固定的に設けられ、人力で前記踏み板２１を広げることができ、人が前記踏み板２１に立つことができる。
【００１４】
有益に、前記揺動ブロック４３の上側内壁の中には引っ掛かりロッドチャンバ４１が連通するように設けられ、前記引っ掛かりロッドチャンバ４１の中には引っ掛かりロッド３９がスライドできるように設けられ、前記引っ掛かりロッド３９の上端と前記引っ掛かりロッドチャンバ４１の上側内壁との間には圧縮バネ４０が固定的に連結され、前側の前記支持板３３の中には前記右プーリー３７に背を向けて開口した引っ掛かり溝３６が二つ設けられ、前記引っ掛かりロッド３９は前記引っ掛かり溝３６の中に伸びて前側の前記支持板３３を固定することができ、前記引っ掛かりロッドチャンバ４１の前側内壁の中には前方に開口した連通孔４８が連通するように設けられ、前記連通孔４８の中には連結ロッド４９がスライドできるように設けられ、前記連結ロッド４９の後端が前記引っ掛かりロッド３９に固定的に連結され、前記連結ロッド４９の前端が外部に伸びており、且つ前記連結ロッド４９の前端にはスライドブロック５０が固定的に連結され、前記スライドブロック５０をスライドさせることで前記引っ掛かりロッド３９が前記引っ掛かり溝３６から離脱することができる。
【００１５】
有益に、前記スタンド１１の上端にはケース１２が固定的に連結され、荷物を前記ケース１２の中に置くことができ、前記ケース１２の左端には連結板１３が固定的に連結され、前記連結板１３の左端が前記引きロッド１７に固定的に連結され、前記収納チャンバ１５の上側内壁の中には抜き穴１８が左右に貫通するように設けられ、手が前記抜き穴１８を通り抜けて前記引きロッド１７を引くことができる。
【００１６】
有益に、前記両側の前記踏み板２１のうち対称中心から離れている一端と前記収納チャンバ１５の前後内壁との間にはそれぞれ復帰トーションバネ５１が固定的に連結され、前記復帰トーションバネ５１の弾力により前記踏み板２１を前記収納チャンバ１５の中に収納することができ、前記踏み板２１の下端には固定板４６が固定的に連結され、両側の前記固定板４６の間には小キャスター軸４５が回転できるように連結され、前記小キャスター軸４５には前後に対称する小キャスター４４が固定的に連結され、二つの前記小キャスター４４が両側の前記固定板４６の間に位置しており、前記小キャスター４４により前記大キャスター２８の転がりを補助することができる。
【００１７】
有益に、前記大キャスターチャンバ３２の左右両側内壁の中には下方に開口した固定キャスターチャンバ２５が対称的に設けられ、前記固定キャスターチャンバ２５の前後内壁の間には固定軸２６が回転できるように連結され、前記固定軸２６には前後に対称する固定キャスター２７が固定的に連結されている。
【００１８】
使用する時、荷物をケース１２の中に入れ、短時間にキャリーケースを使用する時、踏み板装置１０１と電動装置１００とを広げる必要がなく、固定キャスター２７が転がるだけで良いのであり、坂道を登る時、スライドブロック５０をスライドさせ、連結ロッド４９により引っ掛かりロッド３９をスライドさせ、そして引っ掛かりロッド３９が上側の引っ掛かり溝３６から離脱し、この時支持板３３を回転させ、引っ掛かりロッド３９が下側の引っ掛かり溝３６の中に入るまで大キャスター２８を外部に回転させ、同時に踏み板２１を回転させ、小キャスター４４を地面と当接させ、人が踏み板２１に立つことができ、踏み板２１が一定の傾斜角度を持っているため、スライド防止クッション２２がスライドを防止でき、この時固定キャスター２７が宙に浮いており、この時モーター４７を始動し、動力軸３８を駆動することで右プーリー３７を回転連動させ、さらに伝動ベルト３４と、左プーリ３０と、連結軸２９とにより大キャスター２８を回転連動させ、小キャスター４４の補助的な転がりにより、大キャスター２８がキャリーケースを連動させて人と共に坂道を登り、人力で回転盤１６を回転させることができ、これにより長軸１４で小歯車２３を回転連動させ、これにより大歯車２４を回転連動させ、これにより揺動ブロック４３を揺動連動させて小幅の方向変更をし、階段を登る時に人が踏み板２１を踏む必要があり、小キャスター４４を下側の階段と接触させ、大キャスター２８を上側の階段に置き、モーター４７を始動し、大キャスター２８が階段に沿って上へ転がり、小キャスター４４がキャリーケースの揺れる程度を減らすことができる。
【００１９】
有益効果は：本発明は構造が簡単で、操作が便利であり、モーターにより大キャスターを回転連動させ、同時に小キャスターの補助により坂道を登り、また人力で大キャスターと小キャスターとの高度差をコントロールして階段を登りまたは降りることができ、手間が省け、便利であり、さらに、平地では、人が踏み板に立つことでキャリーケースの自動移動と共に移動することもでき、また人力で回転盤を回転させて小幅にキャリーケースの移動方向を変えることもできる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。